(57)【要約】      （修正有）【課題】時計には、壁に掛けるもの、机などに置くものなどがあるが、窓ガラス、鏡、円柱、曲面のある壁などに取り付けが可能な時計を提供する。【解決手段】時計の時刻などの表示部１に、無機ＥＬ（無機エレクトロルミネッセンス）や有機ＥＬ（有機エレクトロルミネッセンス）などの発光体２を用いて、軽量で柔軟性のある薄板状にすることによって、曲げを可能にし、窓ガラス、鏡、円柱、曲面のある壁などに取り付けが可能にする。【選択図】図１
2015152587.tif 000002
【特許請求の範囲】
【請求項１】
時計の表示部を柔軟性のある薄板状にし、柔軟性のある薄板状の発光体によって時間を表示することを特徴とする柔軟性薄板状の時計。
【発明の詳細な説明】
【技術分野】
【０００１】  本発明は、時計の時間表示の形態に関する。
【背景技術】
【０００２】  時計には、壁に掛けるもの、机などに置くものなどの形態があり、箱型や円形などの筺体である。それらは、ある程度の厚みや重さがある。
【発明の概要】
【発明が解決しようとする課題】
【０００３】  従来の時計は箱型や円形などの筺体であり、ある程度の厚みや重さがあった。例えば、壁に掛ける時計では、壁に釘や木ねじを用いて時計を掛けていた。そのため窓ガラスや鏡などに時計を貼り付けることは困難であった。また、円柱や曲面に時計を掛けることも容易でなかった。
本発明は、窓ガラス、鏡、円柱、曲面のある壁などに時計を貼り付けることを可能にする。
【発明が解決するための手段】
【０００４】  従来の時計のような箱型や円形などの筺体ではなく、軽量で柔軟性のある薄板状にすることにより、窓ガラスや鏡などに時計を貼り付けることを可能する。さらに、曲げることも可能になり、円柱や曲面などに時計を貼り付けることを可能にする。
【０００５】  本発明は、時計の時刻などの表示部に、無機ＥＬ（無機エレクトロルミネッセンス）や有機ＥＬ（有機エレクトロルミネッセンス）などの発光体を用いることにより、軽量で柔軟性のある薄板状の時計を可能にする。
【発明の効果】
【０００６】  時計の時間表示部を軽量で柔軟性のある薄板状にすることにより、粘着性のテープなどで壁に貼り付けることが可能になり、窓ガラスや鏡などにも時計を貼り付けることが可能になる。
また、曲げることも可能で、円柱や曲面に時計を貼り付けることも可能になる。例えば、円筒型の花瓶などに巻き付けることも可能になり、小型にして手首に巻けるようにすることも可能になる。
【図面の簡単な説明】
【０００７】
【図１】本発明の実施例を示す表示部の図
【図２】表示部を１８０°回転したときの実施例を示す図
【図３】数字を表示するセグメントの説明図
【図４】１８０°回転した数字を表示するセグメントの説明図
【図５】基板のコネクタ接続の説明図
【発明を実施するための形態】
【０００８】  以下、図面を参照して、本発明の一実施形態について説明する。
説明をわかりやすくするため、壁に貼り付けられる横長の長方形とし、アラビア数字を表示するセグメント表示の時計につて説明する。
【０００９】  図１は本発明を説明する図である。図１の１は時計の表示部で、２はアラビア数字をセグメント表示するための発光体である。図１の５は時計本体で、４は発光体２の電源や制御信号を送るためのケーブルである。３は基板で、ケーブル４をつなぐためのコネクタなどの接続手段と発光体２を駆動する手段を有する。
【００１０】  図１の表示部１は、軽量で柔軟性のある薄板状の材質がよい。例えば、柔軟性のある薄板状の樹脂でもよいし、紙や写真などを透明なポリエチレンなどのフィルムでラミネート加工（密着させて張り合わせる加工方法）してもよい。
表示部１の形は四角形や楕円形など、数字が表示できればどのような形でもよい。大きさは、遠くからも見えるように大きくてもよいし、机上で使用する場合は小さくてもよい。色はどんな色や模様でもよし、絵や写真などを使用してもよい。
【００１１】  壁などに取り付ける方法は、画びょう、粘着性のテープ、磁石などを用いてもよい。例えば、掛け軸のように巻き取れるようにしてもよいし、小型にして手首に巻けるようにしてもよい。防水にして、浴室の壁などに貼り付けられるようにしてもよいし、円筒型の花瓶などに巻き付けられるようにしてもよい。
【００１２】  図１の基板３の位置は説明のために、左側に設定しているが、表示部１はどのような形でもよいので、基板３の位置はどこでもよい。また、基板は１つだけでなく、基板を２つ、３つ、あるいはそれ以上に分割してもよい。
なお、以下では説明を簡単にするため、図１のように形を横長の長方形として、基板３は左側にあるものとして説明する。
【００１３】  図１の２はアラビア数字をセグメント表示するための柔軟性のある薄板状の発光体である。例えば、無機ＥＬ（無機エレクトロルミネッセンス）や有機ＥＬ（有機エレクトロルミネッセンス）などの柔軟性のある薄板状の発光体を用いる。発光する色はどのような色でもよい。
【００１４】  １個のセグメントは１枚の薄板状の発光体２から成り、７個のセグメント（発光体）の点灯と消灯を制御して、１つの数字を表示する。
図３は、セグメントで数字を表示する説明図である。図３の６は、表示する数字に対する７個のセグメント（ａ〜ｇ）の点灯と消灯を表し、１は点灯、０は消灯である。例えば、数字の１を表示するときは、セグメントのｂとｃを点灯する。
【００１５】  図１の表示部１に発光体２を付ける方法は、表側を発光体２の発光面にして、発光体２の電極と配線が見えないようにする。例えば、電極を裏側に出して配線を裏側にしてもよいし、電極と配線が隠れるように樹脂などの柔軟性のある薄板やフィルムなどで覆ってもよい。さらに、表示部１に発光体２を付けた後に、全体を透明なポリエチレンなどのフィルムで密着させて張り合わせてもよい。
【００１６】  基板３の発光体の駆動手段は、使用する発光体に適した駆動方法を用いる。例えば、交流電源を用いる無機ＥＬの場合には、インバータで直流を高圧の交流に変換し、フォトトラィアックカプラ（発光ダイオードとフォトトラッイアックを対向して１組にしたデバイス）などを用いて、無機ＥＬの点灯と消灯を制御してもよいし、他の駆動方法でもよい。直流電源を用いる有機ＥＬの場合は、トランジスタや電界効果型トランジスタなどのデバイスで点灯と消灯を制御してもよいし、他の駆動方法でもよい。
【００１７】  セグメントの表示方法として、多桁のセグメント表示を１つのドライバで複数個のセグメントを時分割により駆動するダイナミック方式を用いてもよい。
ただし、交流電源の無機ＥＬでダイナミック方式を用いると、無機ＥＬの交流電源の周波数とダイナミック表示の周波数によって、明るさがちらつくことがあるので、ダイナミック方式が適さない場合がある。
【００１８】  表示する数字の桁数は、何桁でもよい。例えば、４桁で、時、分を表示してもよいし、６桁で、時、分、秒を表示してもよい。あるいは、年月日などを表示してもよい。
【００１９】  図１の基板３は、できるだけ目立たないように表示部１に取り付ける。例えば、基板３を表示部１と同じ色の樹脂の薄いフィルムなどで覆ってもよい。基板３は薄くて、小さいものがよい。できればフレキシブル基板などの柔軟性のある基板が望ましい。
【００２０】  図１のケーブル４で、時計部５から基板３へ電源や駆動回路の制御信号を送るが、表示部１を画びょうや粘着性のテープで壁などに貼り付けることを容易にするため、細くて軽いケーブルが望ましい。
【００２１】  図１は基板３が左側になるように壁などに貼り付けた例であり、図２のように基板３が右側になるように１８０°回転して壁に貼り付けてもよい。このとき、時間表示の時、分、秒の順番が逆になり、数字のセグメント表示が逆さまに表示されてしまう。これを正しく表示するために、１８０°回転変換する。例えば、図１では基板側から時、分、秒の順番なるが、図２では、逆に基板側から秒、分、時の順番にする。さらに、数字のセグメント表示が逆さまに表示されないように、数字のセグメント表示を１８０°回転変換して表示する。この１８０°回転変換の切り替えは、時計５に切り替えスイッチを設けてもよい。あるいは、基板３に加速度センサーなどを設けて、そのセンサーで上下を検出して、１８０°回転変換の切り替えを行ってもよい。
【００２２】  図３はセグメントで数字を表示する説明図であるが、図４は図２のように基板が右側になるように壁に貼り付けたときに、数字のセグメント表示が逆さまに表示されないように、１８０°回転の変換方法を説明する図である。
図４の７は、１８０°回転した数字に対する７個のセグメント（ａ〜ｇ）の点灯と消灯を表し、１は点灯、０は消灯である。例えば、数字の１を表示するときは、セグメントのｅとｆを点灯する。
【００２３】  図５は基板３を拡大した図で、基板の上下に９と１０のコネクタ（オス）を設ける。９と１０のコネクタは同じで、どちらか一方に８のコネクタ（メス）を接続する。
例えば、図１のように基板３が左側になるように壁などに貼り付ける場合は、図５の９のコネクタ（オス）に８のコネクタ（メス）を接続して、ケーブル４が下側に垂れるようにする。図２のように基板３が右側になるように壁などに貼り付ける場合は、図５の１０のコネクタ（オス）に８のコネクタ（メス）を接続して、ケーブル４が下側に垂れるようにする。コネクタの大きさは小さいものが望ましいが、形状はどのような形状でもよい。
【００２４】図１の５は時計本体である。時計は水晶振動子を用いたクォーツ時計でもよいし、送信局から送信される標準電波（原子時計による日付・時刻情報のデジタル信号）を受信して、自動的に時刻を合わせる電波時計でもよい。あるいは、他の方式の時計でもよい。
【００２５】  時計部５は、手動で時間を合わせるためのスイッチやボタンなどを設けてもよい。ストップウォッチのように経過時間を測定する機能を有してもよいし、あらかじめ設定した時間までの残り時間（カウントダウン）を表示するタイマーの機能を有してもよい。また、予め設定した時刻になったときにブザーなどを鳴らすような機能を有してもよい。
時計の時刻表示について説明したが、時計の表示以外でもよい。例えば、時計部５に温度や湿度などのセンサーを内蔵して、温度や湿度などを表示してもよい。
【００２６】  時計の電源は、乾電池でもよいし、交流の商用電源（ＡＣ１００Ｖ）を低圧の直流に変える装置（ＡＣアダプターなど）を用いてもよい。また、消費電力を節約するために、人体感知センサーなどを内蔵して、人体を検知しないときは、全ての発光体を消灯してもよい。
【００２７】  以上は、表示部１と時計部５を分離した形態として説明したが、表示部１と時計部５を分離せずに合体した場合も本発明の特許請求の範囲である。例えば、時計部５を軽く薄く小型にして表示部１と合体した場合などである。
【符号の説明】
【００２８】  １：表示部
２：柔軟性のある薄板状の発光体
３：基板
４：ケーブル
５：時計部
６：セグメントの点灯を示す表
７：１８０°回転したセグメントの点灯を示す表
８：コネクタ（メス）
９：コネクタ（オス）
１０：コネクタ（オス）
【図１】
2015152587.tif 000003
【図２】
2015152587.tif 000004
【図３】
2015152587.tif 000005
【図４】
2015152587.tif 000006
【図５】
2015152587.tif 000007